(57)【特許請求の範囲】
【請求項１】
フィールド機器に付帯する全てのパラメータ情報を読出し、当該読み出された全てのパラメータ情報を一つの群情報とし、当該群情報と当該フィールド機器固有の識別情報とを関連付けて機器パラメータ情報群を生成する機器パラメータ情報群生成手段と、
前記機器パラメータ情報群生成手段により生成された機器パラメータ情報群を記憶する記憶手段と、
前記フィールド機器に現在付帯されているパラメータ情報と、前記記憶手段に記憶されている機器パラメータ情報群内の対応するパラメータ情報とを個々に比較する比較手段と、
前記比較手段により差異が検出されたパラメータ情報を付帯するフィールド機器である旨を報知する報知制御手段と、
前記フィールド機器の動作状態をパラメータ情報が書替可能な状態に変更させた後、前記フィールド機器に現在付帯されているパラメータ情報を、前記記憶手段に記憶されている機器パラメータ情報群内に対応するパラメータ情報に書き替え、前記パラメータ情報を書き替えた後に前記フィールド機器の動作状態をパラメータ情報が書替不可能な状態に変更させるパラメータ情報書替手段と、
を備えること、
を特徴とするフィールド機器管理装置。
【請求項２】
前記報知制御手段は、
前記比較手段により前記記憶手段に記憶されている機器パラメータ情報群内の対応するパラメータ情報との差異が検出されたパラメータ情報を付帯するフィールド機器の報知状態を、全てのパラメータ情報において差異が検出されなかったフィールド機器の報知状態とは異なる報知状態で報知すること、
を特徴とする請求項１記載のフィールド機器管理装置。
【請求項３】
前記記憶手段は、
前記各フィールド機器の識別情報と関連付けられた機器パラメータ情報群を複数記憶し、
前記比較手段は、
前記記憶手段に記憶されている複数の機器パラメータ情報群から前記フィールド機器に現在付帯されているパラメータ情報と比較するパラメータ情報を有する機器パラメータ情報群の選択指示が受け付けられた場合、前記フィールド機器に現在付帯されているパラメータ情報と、前記選択指示された記憶手段に記憶されている機器パラメータ情報群内の対応するパラメータ情報とを個々に比較すること、
を特徴とする請求項１又は２記載のフィールド機器管理装置。
【請求項４】
前記比較手段は、
前記記憶手段に記憶されている機器パラメータ情報群内のパラメータ情報を比較するフィールド機器の選択指示が受け付けられた場合、前記選択指示されたフィールド機器に現在付帯されたパラメータ情報と、前記記憶手段に記憶されている機器パラメータ情報群内の対応するパラメータ情報とを個々に比較すること、
を特徴とする請求項１から３のいずれか一項に記載のフィールド機器管理装置。
【請求項５】
前記機器パラメータ情報群生成手段は、
複数の前記フィールド機器のうち、前記機器パラメータ情報群を生成して前記記憶手段に記憶させるフィールド機器の選択指示が受け付けられた場合、前記選択指示されたフィールド機器において、当該フィールド機器に付帯されている全てのパラメータ情報を読出し、当該読み出された全てのパラメータ情報を一つの群情報とし、当該群情報と当該フィールド機器固有の識別情報とを関連付けて機器パラメータ情報群を生成すること、
を特徴とする請求項１から４のいずれか一項に記載のフィールド機器管理装置。
【請求項６】
前記フィールド機器から読み出されたパラメータ情報と、前記記憶手段に記憶されている機器パラメータ情報群内の対応するパラメータ情報とを対比させて表示させ、かつ、前記比較手段により、差異が検出されたパラメータ情報対の表示状態を差異が検出されていないパラメータ情報対の表示状態とは異なる表示状態で表示させるパラメータ情報一覧表示手段を備えること、
を特徴とする請求項１から５のいずれか一項に記載のフィールド機器管理装置。
【請求項７】
前記記憶手段に記憶されている機器パラメータ情報群の各パラメータ情報は、パラメータ値、書替対象か否かの情報、書替順序情報を有し、
前記パラメータ情報一覧表示手段は、
前記記憶手段に記憶されている機器パラメータ情報群の各パラメータ情報が有する前記書替対象か否かの情報に基づいて、前記書替対象であるパラメータ情報と書替対象ではないパラメータ情報とを分別し、前記書替順序情報に基づいて各パラメータ情報を配列して表示させること、
を特徴とする請求項６に記載のフィールド機器管理装置。
【請求項８】
前記記憶手段に記憶されている機器パラメータ情報群のパラメータ情報が有するパラメータ値の変更指示を受け付けるパラメータ情報変更指示手段を備えること、
を特徴とする請求項７に記載のフィールド機器管理装置。
【請求項９】
前記パラメータ情報書替手段は、
前記パラメータ情報一覧表示手段により表示されたパラメータ情報に対して、前記書替対象か否かの情報の変更指示が受け付けられた場合、当該変更指示に応じて、前記機器パラメータ情報群のパラメータ情報の書替対象か否かの情報を変更すると共に、フィールド機器に現在付帯するパラメータ情報を書替対象となる前記機器パラメータ情報群のパラメータ情報に書き替えること、
を特徴とする請求項７又は８に記載のフィールド機器管理装置。
【請求項１０】
前記パラメータ情報書替手段は、
前記パラメータ情報一覧表示手段により表示されたパラメータ情報に対して、前記書替順序情報の変更指示が受け付けられた場合、当該変更指示に応じて前記機器パラメータ情報群のパラメータ情報の書替順序情報を変更すると共に、当該書替順序情報に従って前記フィールド機器に現在付帯するパラメータ情報を書き替えること、
を特徴とする請求項７から９のいずれか一項に記載のフィールド機器管理装置。
【発明の詳細な説明】
【技術分野】
【０００１】
本発明は、各種パラメータ情報を付帯するフィールド機器の管理を行うフィールド機器管理装置に関する。
【背景技術】
【０００２】
近年のプラントは、プラント各部に設けられた温度センサ・圧力センサ・流量センサ等の計測機器やバルブ開閉器や火力調整器等の調整機器などのフィールド機器から収集された各種データに基づいてプロセス制御システム（ＰＣＳ：Process Control System）により運転制御されている。プロセス制御システムとしては、分散型制御システム（ＤＣＳ；Distributed Control System）やプログラマブルコントローラ（ＰＬＣ；Programmable Logic Controller）が知られている。
【０００３】
更に、プロセス制御システムを介して又はフィールド機器から直接的に、各フィールド機器が付帯する各種パラメータ情報を収集してフィールド機器の管理を行うフィールド機器管理装置を備えたプラントの運転制御の支援やプラントの状態解析を行うプラント情報管理システム（ＰＩＭＳ；Plant Information Management System）がある。
【０００４】
このようなプラント情報管理システムに用いられるフィールド機器は、フィールド機器管理装置との通信によりパラメータ情報の設定や参照等を可能にする情報処理機能化（インテリジェント化）の拡大が図られている。これに伴い、各フィールド機器が有するパラメータ情報の種類及び数の増加が進んでいる。
【０００５】
各種パラメータ情報は、随時フィールド機器管理装置によりアップロードされて保持されており、保持されている各種機器パラメータが必要に応じてフィールド機器にダウンロードされて書き替えられている。
【０００６】
例えば、登録されたフィールドバスシステムを構築する機器の中から更新する機器を選択し、更新する機器に関する機器情報ファイルを削除して選択された新たな機器に関する機器情報ファイルに更新するフィールドバスシステムの構築装置が開示されている（特許文献１参照）。
【特許文献１】特開２００３−１２４９３７号公報
【発明の開示】
【発明が解決しようとする課題】
【０００７】
しかしながら、従来のフィールド機器のパラメータ情報を管理するフィールド機器管理装置は、アップロードされて保持されているパラメータ情報の運用管理がユーザに委任されているため、フィールド機器が付帯する全てのパラメータ情報がアップロードされていない場合がある。また、パラメータ情報をアップロードして保持した後、フィールド機器のパラメータを変更した場合、パラメータ情報を変更したユーザ以外にはアップロードされたパラメータ情報とフィールド機器が現在付帯しているパラメータ情報とが異なっている事を認識することが困難であると共に、パラメータ情報を変更したユーザ自身もパラメータ情報を変更した事や変更内容を忘れてしまう怖れがある。
【０００８】
更に、保持されているパラメータ情報をダウンロードしてフィールド機器が現在付帯するパラメータ情報を書き替える場合、フィールド機器固有のキャリブレーション用パラメータ等のダウンロードしてはいけないパラメータ情報や、書き替え不可のパラメータ情報に対しても、書き替えてしまう怖れがある。更に、ダウンロードされる順番が予め定められているパラメータ情報や、ダウンロードされる前に処理が必要なパラメータ情報等、何らかの条件が付加されているパラメータ情報に対しては、各種条件をユーザが考慮してダウンロードしなければならず、操作ミスにより適切に書き替えられないという問題が生じやすくなっており、ユーザにとって煩雑な作業となっている。
【０００９】
本発明の課題は、上述した問題に鑑みて、各フィールド機器が付帯する各種パラメータ情報の管理の高効率化を図り、ユーザに対する利便性及び操作性の向上が図られたフィールド機器管理装置を実現することである。
【課題を解決するための手段】
【００１０】
請求項１に記載の発明は、フィールド機器に付帯する全てのパラメータ情報を読出し、当該読み出された全てのパラメータ情報を一つの群情報とし、当該群情報と当該フィールド機器固有の識別情報とを関連付けて機器パラメータ情報群を生成する機器パラメータ情報群生成手段と、前記機器パラメータ情報群生成手段により生成された機器パラメータ情報群を記憶する記憶手段と、前記フィールド機器に現在付帯されているパラメータ情報と、前記記憶手段に記憶されている機器パラメータ情報群内の対応するパラメータ情報とを個々に比較する比較手段と、前記比較手段により差異が検出されたパラメータ情報を付帯するフィールド機器である旨を報知する報知制御手段と、前記フィールド機器の動作状態をパラメータ情報が書替可能な状態に変更させた後、前記フィールド機器に現在付帯されているパラメータ情報を、前記記憶手段に記憶されている機器パラメータ情報群内に対応するパラメータ情報に書き替え、前記パラメータ情報を書き替えた後に前記フィールド機器の動作状態をパラメータ情報が書替不可能な状態に変更させるパラメータ情報書替手段と、を備えるフィールド機器管理装置であること、を特徴としている。
【００１１】
請求項２に記載の発明は、請求項１記載のフィールド機器管理装置において、前記報知制御手段は、前記比較手段により前記記憶手段に記憶されている機器パラメータ情報群内の対応するパラメータ情報との差異が検出されたパラメータ情報を付帯するフィールド機器の報知状態を、全てのパラメータ情報において差異が検出されなかったフィールド機器の報知状態とは異なる報知状態で報知すること、を特徴としている。
【００１２】
請求項３に記載の発明は、請求項１又は２記載のフィールド機器管理装置において、前記記憶手段は、前記各フィールド機器の識別情報と関連付けられた機器パラメータ情報群を複数記憶し、前記比較手段は、前記記憶手段に記憶されている複数の機器パラメータ情報群から前記フィールド機器に現在付帯されているパラメータ情報と比較するパラメータ情報を有する機器パラメータ情報群の選択指示が受け付けられた場合、前記フィールド機器に現在付帯されているパラメータ情報と、前記選択指示された記憶手段に記憶されている機器パラメータ情報群内の対応するパラメータ情報とを個々に比較すること、を特徴としている。
【００１３】
請求項４に記載の発明は、請求項１から３のいずれか一項に記載のフィールド機器管理装置において、前記比較手段は、前記記憶手段に記憶されている機器パラメータ情報群内のパラメータ情報を比較するフィールド機器の選択指示が受け付けられた場合、前記選択指示されたフィールド機器に現在付帯されたパラメータ情報と、前記記憶手段に記憶されている機器パラメータ情報群内の対応するパラメータ情報とを個々に比較すること、を特徴としている。
【００１４】
請求項５に記載の発明は、請求項１から４のいずれか一項に記載のフィールド機器管理装置において、前記機器パラメータ情報群生成手段は、複数の前記フィールド機器のうち、前記機器パラメータ情報群を生成して前記記憶手段に記憶させるフィールド機器の選択指示が受け付けられた場合、前記選択指示されたフィールド機器において、当該フィールド機器に付帯されている全てのパラメータ情報を読出し、当該読み出された全てのパラメータ情報を一つの群情報とし、当該群情報と当該フィールド機器固有の識別情報とを関連付けて機器パラメータ情報群を生成すること、を特徴としている。
【００１７】
請求項６に記載の発明は、請求項１から５のいずれか一項に記載のフィールド機器管理装置において、前記フィールド機器から読み出されたパラメータ情報と、前記記憶手段に記憶されている機器パラメータ情報群内の対応するパラメータ情報とを対比させて表示させ、かつ、前記比較手段により、差異が検出されたパラメータ情報対の表示状態を差異が検出されていないパラメータ情報対の表示状態とは異なる表示状態で表示させるパラメータ情報一覧表示手段を備えること、を特徴としている。
【００１８】
請求項７に記載の発明は、請求項６に記載のフィールド機器管理装置において、前記記憶手段に記憶されている機器パラメータ情報群の各パラメータ情報は、パラメータ値、書替対象か否かの情報、書替順序情報を有し、前記パラメータ情報一覧表示手段は、前記記憶手段に記憶されている機器パラメータ情報群の各パラメータ情報が有する前記書替対象か否かの情報に基づいて、前記書替対象であるパラメータ情報と書替対象ではないパラメータ情報とを分別し、前記書替順序情報に基づいて各パラメータ情報を配列して表示させること、を特徴としている。
【００１９】
請求項８に記載の発明は、請求項７に記載のフィールド機器管理装置において、前記記憶手段に記憶されている機器パラメータ情報群のパラメータ情報が有するパラメータ値の変更指示を受け付けるパラメータ情報変更指示手段を備えること、を特徴としている。
【００２０】
請求項９に記載の発明は、請求項７又は８に記載のフィールド機器管理装置において、前記パラメータ情報書替手段は、前記パラメータ情報一覧表示手段により表示されたパラメータ情報に対して、前記書替対象か否かの情報の変更指示が受け付けられた場合、当該変更指示に応じて、前記機器パラメータ情報群のパラメータ情報の書替対象か否かの情報を変更すると共に、フィールド機器に現在付帯するパラメータ情報を書替対象となる前記機器パラメータ情報群のパラメータ情報に書き替えること、を特徴としている。
【００２１】
請求項１０に記載の発明は、請求項７から９のいずれか一項に記載のフィールド機器管理装置において、前記パラメータ情報書替手段は、前記パラメータ情報一覧表示手段により表示されたパラメータ情報に対して、前記書替順序情報の変更指示が受け付けられた場合、当該変更指示に応じて前記機器パラメータ情報群のパラメータ情報の書替順序情報を変更すると共に、当該書替順序情報に従って前記フィールド機器に現在付帯するパラメータ情報を書き替えること、を特徴としている。
【発明の効果】
【００２２】
請求項１に記載の発明によれば、フィールド機器に付帯されている全てのパラメータ情報を読出し、読み出された全パラメータ情報がフィールド機器の識別情報と関連付けられて記憶されることにより、フィールド機器毎にフィールド機器に付帯されているパラメータ情報を漏れなく管理することができ、フィールド機器に現在付帯されているパラメータ情報が記憶手段に記憶されている対応するパラメータ情報との差異が検出された場合には、その旨が報知されるため、フィールド機器のパラメータ情報が変更された旨をユーザに報知することができる。また、パラメータ情報を書き替える前にフィールド機器の動作状態をパラメータ情報書替可能状態に変更させ、フィールド機器に現在付帯されているパラメータ情報を記憶手段に記憶されている機器パラメータ情報群内に対応するパラメータ情報に書き替え、パラメータ情報を書き替えた後にフィールド機器の動作状態をパラメータ情報書替不可能状態に変更させることにより、フィールド機器の動作の安全性を確保することができるため、フィールド機器の誤動作を防止することができ、また、操作ミスによるパラメータ情報の書替漏れを防止することができ、ユーザに対する利便性及び操作性を向上させることができる。即ち、フィールド機器が付帯する各種パラメータ情報の管理の高効率化を図り、ユーザに対する利便性及び操作性の向上を図ることができる。
【００２３】
請求項２に記載の発明によれば、請求項１と同様の効果を得られるのは勿論のこと、記憶手段に記憶されている機器パラメータ情報群内の対応するパラメータ情報との差異が検出されたパラメータ情報を付帯するフィールド機器の報知状態と、全てのパラメータ情報おいて差異が検出されなかったフィールド機器の報知状態とが異なるように報知されるため、ユーザに対してフィールド機器の状態の認識性を向上させることができる。
【００２４】
請求項３に記載の発明によれば、請求項１又は２と同様の効果を得られるのは勿論のこと、各フィールド機器の識別情報と関連付けられた複数の機器パラメータ情報群を記憶することができるため、フィールド機器に付帯されたパラメータ情報の管理の効率化を図ることができると共に、フィールド機器に現在付帯されているパラメータ情報と比較する機器パラメータ情報群を、記憶手段に記憶されている当該フィールド機器の識別情報と関連付けられた複数の機器パラメータ情報群から選択することができるため、比較する機器パラメータ情報群の選択肢が増え、ユーザに対する操作性の向上を図ることができる。
【００２５】
請求項４に記載の発明によれば、請求項１から３のいずれか一項と同様の効果を得られるのは勿論のこと、選択指示されたフィールド機器に対して、選択指示されたフィールド機器が現在付帯しているパラメータ情報と、記憶手段に記憶されている機器パラメータ情報群内の対応するパラメータ情報との比較処理が実行されるため、ユーザに対する利便性を向上させることができる。
【００２６】
請求項５に記載の発明によれば、請求項１から４のいずれか一項と同様の効果を得られるのは勿論のこと、選択されたフィールド機器に対して、機器パラメータ情報群が生成されるため、ユーザに対する利便性を向上させることができる。
【００２９】
請求項６に記載の発明によれば、請求項１から５のいずれか一項と同様の効果を得られるのは勿論のこと、フィールド機器から読み出されたパラメータ情報と、記憶手段に記憶されている機器パラメータ情報群内の対応するパラメータ情報とが対比されて表示されると共に、差異が検出されたパラメータ情報対の表示状態が差異が検出されていないパラメータ情報対の表示状態とは異なる状態で表示されるため、ユーザに対して差異が有るパラメータ情報対の認識性を向上させることができる。
【００３０】
請求項７に記載の発明によれば、請求項６と同様の効果を得られるのは勿論のこと、書替対象であるか否かに基づいて表示されるパラメータ情報が分別されると共に、書替順序情報に基づいて配列されたパラメータ情報が表示されるため、ユーザに対して書替対象であるか否か及び書替順序を認識させることができる。
【００３１】
請求項８に記載の発明によれば、請求項７と同様の効果を得られるのは勿論のこと、記憶手段に記憶されている機器パラメータ情報群のパラメータ値をユーザが任意に変更することができるため、利便性及び操作性を向上させることができる。
【００３２】
請求項９に記載の発明によれば、請求項７又は８と同様の効果を得られるのは勿論のこと、ユーザが任意に書替対象か否かを変更できるため、操作性が向上されるとともに、書替対象のパラメータ情報のみ機器パラメータ情報群のパラメータ情報に書き替えるため、フィールド機器固有のキャリブレーション用パラメータ情報等の書き替えてはいけないパラメータ情報や書替不可のパラメータ情報を書き替えることが無くなり、書替ミスによるフィールド機器の誤設定や誤動作を防止することができる。
【００３３】
請求項１０に記載の発明によれば、請求項７から９のいずれか一項と同様の効果を得られるのは勿論のこと、ユーザが任意に書替順序を変更できるため、操作性が向上されると共に、書替順序情報に従ってフィールド機器のパラメータ情報が記憶手段に記憶されている機器パラメータ情報群内の対応するパラメータ情報に書き替えられるため、書き替える度に書替順序を設定する必要が無くなり、書替順序の設定忘れや設定ミスによるフィールド機器の誤設定や誤動作を防止することができ、作業性を向上させることができる。
【発明を実施するための最良の形態】
【００３４】
以下、図を参照して本発明の実施の形態を詳細に説明する。なお、この発明にはこの実施の形態に限定されるものではない。また、この発明の実施の形態は、発明の最も好ましい形態を示すものであり、この発明の用語はこれに限定されない。
【００３５】
以下、図を参照して本発明の実施の形態を詳細に説明する。
まず、構成を説明する。
図１に、本実施の形態におけるフィールド機器管理システムＡの構成を示すブロック図を示す。
【００３６】
図１に示すように、フィールド機器管理システムＡは、フィールド機器管理装置１と、制御システム２を介してフィールド機器管理装置１と通信可能に接続された複数のフィールド機器３ａ、３ｂ、３ｃ、及び通信機器３２を介して制御システム２を介さずに直接的にフィールド機器管理装置１と通信可能に接続されたフィールド機器３ｃと、を備えて構成されている。
【００３７】
フィールド機器管理装置１は、バス１０１に接続されており、バス１０１に接続された制御システム２から各フィールド機器が付帯する各種パラメータ情報を収集してフィールド機器の管理を行う装置である。なお、当該フィールド機器管理装置１は、プラントの運転制御の支援やプラントの状態解析を行うプラント情報管理システム（ＰＩＭＳ；Plant Information Management System）に含まれる装置であってもよい。
【００３８】
制御システム２は、バス１０１及びフィールドバス１０２と接続されている。制御システム２は、バス１０１に接続されたフィールド機器管理装置１に対して、フィールドバス１０２と接続されたフィールド機器３ａ、３ｂ、３ｃから収集したパラメータ情報を送信する。また、制御システム２は、フィールド機器管理装置１から送信されたデータに基づいてフィールド機器３ａ、３ｂ、３ｃを制御する。このように制御システム２は、フィールド機器３ａ、３ｂ、３ｃから収集された各種パラメータ情報に基づいて、発電、石油精製、鉄鋼、ガスなどのプラントの生産工程や各種電機機器等を制御するシステムである。制御システム２としては、例えば、分散型制御システム（ＤＣＳ；Distributed Control System）やプログラマブルコントローラ（ＰＬＣ；Programmable Logic Controller）等のプロセス制御システム（ＰＣＳ：Process Control System）を挙げることができる。
【００３９】
フィールド機器３ａ、３ｂ、３ｃは、フィールドバス１０２又は通信機器３２と接続されている。フィールド機器３ａ、３ｂ、３ｃは、フィールドバス１０２と接続された制御システム２又は通信機器３２を介して有線又は無線の伝送路３２ａによって接続されたフィールド機器管理装置１により管理されている。フィールド機器３ａ、３ｂ、３ｃとしては、プラント各部に設けられた温度センサ・圧力センサ・流量センサ等の計測機器やバルブ開閉器や火力調整器等の調整機器などを挙げることができる。本実施の形態のフィールド機器は、フィールド機器管理装置１又は制御システム２との通信によりパラメータ情報の設定や参照等を可能にする情報処理機能化（インテリジェント化）が図られたフィールド機器である。
【００４０】
図２に、フィールド機器管理装置１の概略構成図を示す。
図２に示すように、フィールド機器管理装置１は、制御手段１０、記憶手段２０、表示手段３０、入力手段４０、通信手段５０を備えて構成されており、各部は電気的に接続されている。
【００４１】
制御手段１０は、ＣＰＵ（Central Processing Unit）、ＲＯＭ（Read Only Memory）、ＲＡＭ（Random Access Memory）等から構成され、記憶手段２０やＲＯＭ内に格納されているシステムプログラム、各種制御プログラム、各種データ等をＲＡＭ内に展開し、これらのプログラム及びデータとの協働により、フィールド機器管理装置１の動作全般を統括的に制御する。また、制御手段１０は、ＲＡＭに展開したプログラムに従って各種処理を実行し、その処理結果をＲＡＭ又は記憶手段２０に記憶させるとともに、表示手段３０にウィンドウやアイコンなどの画像を表示させ、入力手段４０としてのマウス等のポインティングデバイスによってユーザに操作させるＧＵＩ（Graphical User Interface）の機能を実現する。
【００４２】
制御手段１０は、ＣＰＵ、ＲＯＭ、ＲＡＭ及び記憶手段２０等の各部の協働により、ＲＯＭに記憶されているプログラムやデータ及び記憶手段２０に記憶されている各種データをＲＡＭ等に展開し、入力手段４０や通信手段５０から入力される各種データに従って、選択されたフィールド機器が付帯する全てのパラメータ情報を読出し、読み出された全パラメータ情報を１つの群情報とする。そして制御手段１０は、この群情報とフィールド機器固有の識別情報としての機器識別標識と関連付けて機器パラメータ情報群を生成する。制御手段１０は、生成された機器パラメータ情報群を記憶手段２０に記憶させる。このように制御手段１０は、機器パラメータ情報群生成手段１１としての機能を実現する。
【００４３】
また制御手段１０は、選択されたフィールド機器が現在付帯するパラメータ情報と、当該フィールド機器に対応する記憶手段２０に記憶されている機器パラメータ情報群内の対応するパラメータ情報とが一致するか否かを個々に比較する比較手段１２の機能を実現する。
【００４４】
そして制御手段１０は、フィールド機器が付帯するパラメータ情報と記憶手段２０に記憶されている機器パラメータ情報群内の対応するパラメータ情報とが一致しない（差異が検出された）パラメータ情報を付帯するフィールド機器の報知状態を全てのパラメータ情報において全て一致（差異が検出されない）と判別されたフィールド機器の報知状態とは異なる報知状態で表示手段３０の表示画面上に表示させる報知制御手段１３としての機能を実現する。
【００４５】
制御手段１０は、選択されたフィールド機器から読み出された全てのパラメータ情報と、選択された記憶手段２０に記憶されている機器パラメータ情報群内の対応するパラメータ情報とを対比させて表示手段３０に表示させると共に、差異が検出されたパラメータ情報対の表示状態を差異が検出されていないパラメータ情報対の表示状態とは異なる表示状態で表示手段３０の表示画面上に表示させるパラメータ情報一覧表示手段１４の機能を実現する。
【００４６】
また、パラメータ情報を書き替える際には、フィールド機器の動作状態をパラメータ情報が書替可能な状態に変更させる書替前処理を実行した後、選択されたフィールド機器に現在付帯されているパラメータ情報を選択された記憶手段２０に記憶されている機器パラメータ情報群内の対応するパラメータ情報に書き替え、パラメータ情報を書き替えた後、フィールド機器の動作状態をパラメータ情報が書替不可能な状態に変更させる書替後処理を実行するパラメータ情報書替手段１５の機能を実現する。
【００４７】
パラメータ情報書替手段１５は、更に、フィールド機器から読み出されたパラメータ情報に対して、ユーザから書替対象か否かの情報の変更指示が受け付けられた場合、当該変更指示に応じて、対応する機器パラメータ情報群内の対応するパラメータ情報としての書替対象か否かの情報を変更すると共に、フィールド機器に現在付帯するパラメータ情報を書替対象となる機器パラメータ情報群のパラメータ情報に書き替える。また、フィールド機器から読み出されたパラメータ情報に対して、書替順序情報の変更指示が受け付けられた場合、当該変更指示に応じて機器パラメータ情報群のパラメータ情報としての書替順序情報を変更すると共に、当該書替順序情報に従ってフィールド機器が現在付帯するパラメータ情報を書替対象となる機器パラメータ情報群のパラメータ情報に書き替える。
【００４８】
更に、他のアプリケーションにおいて生成された機器パラメータ情報群を通信手段５０を介して読み込み、読み込んだ機器パラメータ情報群のパラメータ情報をフィールド機器に付帯されるパラメータ情報として利用できるように変換し、記憶手段２０内に記憶される機器パラメータ情報群として記憶させるインポート手段１６の機能と、記憶手段２０に記憶されている機器パラメータ情報群を他のアプリケーションで利用できるように変換して通信手段５０を介して書き出すエクスポート手段１７の機能を備えることが好ましい。
【００４９】
インポート手段１６及びエクスポート手段１７を備えることにより、記憶手段２０に記憶されている機器パラメータ情報群２２を、他のアプリケーションで利用できると共に、他のアプリケーションにおいて生成された機器パラメータ情報群を記憶手段２０に記憶される機器パラメータ情報群２２として利用できるため、利便性が向上される。
【００５０】
記憶手段２０は、電気的に消去及び書き換えが可能な不揮発性の記憶媒体を備え、この記憶媒体内に、機器台帳テーブル２１と複数の機器パラメータ情報群２２を記憶している。電気的に消去及び書き換えが可能な不揮発性の記憶媒体としては、例えば、ＨＤＤ（Hard Disk Drive）、ＥＥＰＲＯＭ（Electrically Erasable and Programmable ROM）やフラッシュメモリなどが挙げられる。
【００５１】
図３（ａ）に、機器台帳テーブル２１の一例を示し、図３（ｂ）に、機器パラメータ情報群２２の一例を示す。
【００５２】
図３（ａ）に示すように、機器台帳テーブル２１は、各フィールド機器を識別するための機器識別標識（ＩＤ）のフィールド、機器識別標識に対応するフィールド機器名称のフィールド、機器識別標識に対応するフィールド機器の型番や設置場所等の基本的な各種設定項目のフィールドから成る複数のフィールド機器のレコードから構成されている。
【００５３】
図３（ｂ）に示すように、機器パラメータ情報群２２は、フィールド機器の複数の各種パラメータ情報が群情報として記憶されている。機器パラメータ情報群２２は、各種パラメータ情報に対応するフィールド機器を識別するための機器識別標識が付されており、当該機器識別標識は、機器台帳テーブル２１の機器識別標識のフィールドに記憶されている機器識別標識のいずれかに対応している。即ち、機器識別標識は、フィールド機器から読み出された全パラメータ情報を読み出されたフィールド機器と関連付けるための識別情報としての機能を果たす。
【００５４】
また、機器パラメータ情報群２２は、同一のフィールド機器に対して、生成される毎に記憶されるため複数存在する。従って、機器パラメータ情報群２２には、機器パラメータ情報群が生成された生成日付や生成された順序等の識別情報が更に付されることが好ましい。
【００５５】
機器パラメータ情報群２２は、パラメータ情報として、パラメータ情報の名称を示す機器パラメータ名称のフィールド、当該機器パラメータ名称に対応するパラメータ値を示すのフィールド、当該機器パラメータ名称に対応するパラメータ値をプラント内に設けられたフィールド機器のパラメータ情報として書き替えること（ダウンロード）が可能であるか否かを示すフラグ１のフィールド、ダウンロードの対象となっているか否か（書替対象か否か）を示すフラグ２のフィールド等から成る複数のパラメータ情報のレコードから構成されている。また、機器パラメータ情報群２２は、ダウンロードの順番（書替順序）に従ってパラメータ情報のレコードが配列されており、このレコードの配列順序が書替順序情報としての機能を果たしている。
【００５６】
記憶手段２０が各フィールド機器の機器識別標識と関連付けられた複数の機器パラメータ情報群を記憶することができるため、フィールド機器に付帯されたパラメータ情報の管理の効率化を図ることができる。また、フィールド機器に現在付帯されているパラメータ情報と比較する機器パラメータ情報群を、記憶手段２０に記憶されている当該フィールド機器と関連付けられた複数の機器パラメータ情報群から選択させることができるため、比較する機器パラメータ情報群の選択肢が増え、ユーザに対する操作性の向上を図ることができる。
【００５７】
表示手段３０は、例えば、ＬＣＤ（Liquid Crystal Display）やＥＬ（Electro Luminescence）ディスプレイ等によって構成され、制御手段１０から入力される表示指示に従って各種情報を表示画面上に表示を行うと共に、複数のフィールド機器の状態を示する機能を実現する。
【００５８】
入力手段４０は、カーソルキー、数字入力キー及び各種機能キー等を備えたキーボード、マウス等のポインティングデバイス、表示手段３０の表示画面を覆うように設けられたタッチパネル等を備え、キーボードやタッチパネルで押下された押下信号を制御手段１０に出力するとともに、ポインティングデバイスによる操作信号を制御手段１０に出力する。
【００５９】
通信手段５０は、制御システム２及びフィールド機器３ｃに接続された通信機器３２と通信可能に接続するためのインターフェースであり、フィールド機器管理装置１と制御システム２及び通信機器３２との間でデータの転送速度の調整や、データ形式の変換を行い、両者のデータのやり取りを仲介する。通信手段５０の仕様としては、アプリケーション間通信インターフェースの統一仕様であるＯＰＣ Foundation規定に準拠するインターフェースであることが好ましい。
【００６０】
図４に、表示手段３０の表示画面上に表示されるプラント構成画面Ｇ１の一例を示す。図４に示すように、プラント構成画面Ｇ１は、プラント構成機器表示エリアＧ１１及びフィールド機器設定エリアＧ１２を有している。
【００６１】
プラント構成機器表示エリアＧ１１は、プラント内に設けられたフィールド機器を、プラント内の製造工程や各種フィールド機器の種類に応じて各階層に分類された複数のフォルダやフィールド機器の状態を示すアイコンによる階層構造によって表している。
【００６２】
フィールド機器の状態を示すアイコンは、比較手段１２によって、フィールド機器が付帯するパラメータ情報と記憶手段２０に記憶されている機器パラメータ情報群内の対応するパラメータ情報とが一致しない（差異が検出された）と判別されたフィールド機器である場合には、報知制御手段１３によって全て一致（差異が検出されない）と判別されたフィールド機器の表示状態とは異なる報知状態（例えば、エクスクラメーションマーク（！）を付す。）で表示手段３０の表示画面上に表示される。また、各階層のフォルダは、下位のフォルダが有するフィールド機器が、差異が検出されたフィールド機器である場合には、差異が検出されないフィールド機器を有するフォルダの表示状態とは異なる報知状態（例えば、エクスクラメーションマーク（！）を付す。）で表示手段３０の表示画面上に表示される。
【００６３】
即ち、差異が検出されたフィールド機器の状態を示すアイコンの表示状態が変更された情報が、上位のフォルダ階層に伝播される構成となるため、ユーザに対して容易に差異が検出されたことを視認させることができる。
【００６４】
なお、本実施の形態においては、差異が検出されたフィールド機器の状態を示すアイコンの表示状態及びフォルダの表示例として、エクスクラメーションマーク（！）を付した例を挙げているが、他の識別標識を付したり、アイコン及びフォルダの色や形状、大きさを変更させたりしても良く、これらの組合せとして表示させて報知しても良い。
【００６５】
このように、記憶手段２０に記憶されている機器パラメータ情報群内の対応するパラメータ情報との差異が検出されたパラメータ情報を有するフィールド機器の報知状態と、全てのパラメータ情報において差異が検出されないフィールド機器の報知状態とが異なるため、ユーザに対してフィールド機器の状態の認識性を向上させることができる。
【００６６】
フィールド機器設定エリアＧ１２には、プラント構成機器表示エリアＧ１１において選択されたフィールド機器の各種設定項目が表示されている。フィールド機器設定エリアＧ１２には、機器台帳テーブル２１において選択されたフィールド機器のレコードに含まれる各種設定項目が読み出されて表示されている。各種設定項目がフィールド機器設定エリアＧ１２においてユーザが入力手段４０を用いて設定変更することにより、機器台帳テーブル２１の各種設定項目が変更される。
【００６７】
図５に、表示手段３０の表示画面上に表示される機器パラメータ情報一覧画面Ｇ２の一例を示す。機器パラメータ情報一覧画面Ｇ２は、プラント構成画面Ｇ１のプラント構成機器表示エリアＧ１１においてフィールド機器の状態を示すアイコンが選択され、選択されたアイコンに対応するフィールド機器に関するパラメータ情報の表示を指示する操作がされた際に表示される画面である。
【００６８】
例えば、機器パラメータ情報一覧画面Ｇ２を表示させるフィールド機器を選択する方策としては、プラント構成画面Ｇ１のプラント構成機器表示エリアＧ１１において表示されているフィールド機器の状態を示すアイコンをダブルクリックすることにより実現することができる。
【００６９】
機器パラメータ情報一覧画面Ｇ２は、機器パラメータ情報群選択エリアＧ２１、機器パラメータ情報一覧表示エリアＧ２２、インポートボタンＢ１、エクスポートボタンＢ２、その他コマンドボタン、各種テキストボックス等を有している。
【００７０】
機器パラメータ情報群選択エリアＧ２１には、選択されたフィールド機器に対応する記憶手段２０に記憶されている複数の機器パラメータ情報群から選択されたフィールド機器が付帯するパラメータ情報と比較するパラメータ情報を有する機器パラメータ情報群を選択させるためのドロップダウンリストボックスＧ２１ａと、選択された機器パラメータ情報群に付された情報（生成日付やコメント）を表示している。
【００７１】
機器パラメータ情報一覧表示エリアＧ２２は、ダウンロードボタンＢ１１と、アップロードボタンＢ１２とが設けられていると共に、ダウンロードの対象となるパラメータ情報を表示する画面、ダウンロードの対象外となるパラメータ情報を表示する画面、ダウンロードしてはならないパラメータ情報を表示する画面がタブによって分別されて表示されている。例えば、ダウンロードの対象となるパラメータ情報を表示する画面には、機器パラメータ情報群のパラメータ情報としてのフラグ１及びフラグ２に応じて、フィールド機器が付帯するパラメータ情報（ここでは、パラメータ値）と、記憶手段２０に記憶されかる機器パラメータ情報群選択エリアＧ２１によって選択された機器パラメータ情報群内の対応するパラメータ情報（ここでは、パラメータ値）とが対比されて表示されている。また、差異が検出されたパラメータ情報対（パラメータ値対）の表示状態は、差異が検出されていないパラメータ情報対（パラメータ値対）とは異なる表示状態として表示されている。
【００７２】
このように、フィールド機器から読み出されたパラメータ情報と、記憶手段２０に記憶された機器パラメータ情報群内の対応するパラメータ情報とが対比されて表示されると共に、差異が検出されたパラメータ値対の表示状態が差異が検出されていないパラメータ値対の表示状態とは異なる表示状態で表示されるため、ユーザに対して差異が有るパラメータ値対の認識性を向上させることができる。
【００７３】
図５に示す機器パラメータ情報一覧表示エリアＧ２２には、ダウンロードの対象となるパラメータ情報を表示する画面が前面に表示されており、各機器パラメータ名称に対応して、フィールド機器が付帯するパラメータ値（実機器パラメータ値）と、記憶手段２０から読み出された機器パラメータ情報群のパラメータ値（読出パラメータ値）とが書替順序情報に基づいてダウンロードされる順番に配列され且つ対比されて表示されている例を示している。また、差異が検出されたパラメータ情報のパラメータ値対の背景色を差異が検出されていないパラメータ値対の背景色と異なるように表示している例を示している。
【００７４】
なお、本実施の形態においては、差異が検出されたパラメータ値対の表示状態の表示例として、背景色を変更させた例を挙げているが、パラメータ値の書体（フォント）、装飾（スタイル）、大きさ（サイズ）、色を変更させてもよく、この限りではない。なお、書体としては、例えば、明朝体、ゴシック体等を挙げることができ、装飾としては、例えば、斜体、細字、太字、太字斜体、下線、網掛け、影付き、中抜き、反転、文字囲み、傍点等を挙げることができる。
【００７５】
このように、ダウンロードの対象であるか否かに基づいて表示されるパラメータ情報が分別されると共に、書替順序情報に基づいて配列されたパラメータ情報が表示されるため、ユーザに対して書替対象であるか否か及び書替順序を認識させることができる。
【００７６】
ダウンロードボタンＢ１１は、差異が検出された全パラメータ情報において、機器パラメータ情報群のパラメータ情報（ここでは、パラメータ値）をフィールド機器に現在付帯されているパラメータ情報（ここでは、パラメータ値）として一括してダウロードさせて書き替えるよう指示するボタンである。
【００７７】
アップロードボタンＢ１２は、フィールド機器から読み出された全てのパラメータ情報を新たな機器パラメータ情報群として生成し、記憶手段２０に記憶させるよう指示するボタンである。
【００７８】
インポートボタンＢ１は、他のアプリケーションにおいて生成された機器パラメータ情報群を読み込み、読み込んだ機器パラメータ情報群を変換して記憶手段２０に記憶させるよう指示するボタンである。
【００７９】
エクスポートボタンＢ２は、記憶手段２０に記憶されている機器パラメータ情報群を、他のアプリケーションで利用できるように変換して書き出すよう指示するボタンである。
【００８０】
次に、本実施の形態の動作を説明する。
図６に、本実施の形態における比較処理のフローチャートを示す。
図６に示す比較処理は、制御手段１０が備えるＣＰＵと、ＲＯＭ、ＲＡＭに記憶されたプログラム及び各種データ、比較手段１２及び報知制御手段１３と、記憶手段２０に記憶された機器台帳テーブル２１及び機器パラメータ情報群２２との協働によるソフトウェア処理により実現される。
【００８１】
まず、差異を検出するフィールド機器の選択指示が受け付けられる（ステップＳ１）。
差異を検出するフィールド機器の選択指示の方策としては、例えば、ユーザがプラント構成画面Ｇ１のプラント構成機器表示エリアＧ１１に表示されるフィールド機器の状態を示すアイコンを選択してショートカットメニューを表示させ、ショートカットメニューの中から比較処理を実行させる項目を選択することにより実現させることができる。
【００８２】
選択されたフィールド機器から、フィールド機器が付帯する全てのパラメータ情報が読み出され、ＲＡＭ内に一時的に記憶される（ステップＳ２）と共に、選択されたフィールド機器において、予め設定されている機器パラメータ情報群が読み出される（ステップＳ３）。予め設定されている機器パラメータ情報群とは、例えば、最新の生成日付が付された機器パラメータ情報群、過去に比較処理が実行されたフィールド機器であれば、その際に用いた機器パラメータ情報群としてもよく、適宜設定可能であることが好ましい。
【００８３】
選択されたフィールド機器から読み出されたパラメータ情報と、当該読み出されたフィールド機器に対応する機器パラメータ情報群内の対応するパラメータ情報とが個々に比較される比較処理が実行される（ステップＳ４）。
【００８４】
ステップＳ４の比較処理において、差異が検出されたパラメータ情報の有無が判別され（ステップＳ５）、差異が検出されたパラメータ情報は無し（全てのパラメータ情報が一致）と判別された場合（ステップＳ５；Ｎｏ）、ステップＳ７に進む。
【００８５】
差異が検出されたパラメータ情報有りと判別された場合（ステップＳ５；Ｙｅｓ）、ステップＳ２においてパラメータ情報を読み出したフィールド機器の状態を示すアイコンの表示状態の変更処理が実行される（ステップＳ６）。例えば、図４に示すプラント構成機器表示エリアＧ１１に示されるように、差異が生じているパラメータ情報を有するフィールド機器の状態を示すアイコンの変更処理が実行される。
【００８６】
ステップＳ５；Ｎｏ後又はステップＳ６後、選択された全てのフィールド機器の比較処理が終了されたか否かが判別され（ステップＳ７）、選択された全てのフィールド機器の比較処理が終了されていないと判別された場合（ステップＳ７；Ｎｏ）、ステップＳ２に戻る。
【００８７】
選択された全てのフィールド機器の比較処理が終了されたと判別された場合（ステップＳ７；Ｙｅｓ）、本処理は終了される。
【００８８】
なお、本処理は、差異を検出するフィールド機器の選択指示があった場合に実行される処理としたが、定期的に全てのフィールド機器に対して実行される処理としてもよい。
【００８９】
このように、選択指示されたフィールド機器に対して、選択指示されたフィールド機器が現在付帯しているパラメータ情報と記憶手段２０に記憶されている機器パラメータ情報群内の対応するパラメータ情報との比較処理が実行されるため、ユーザに対する利便性を向上させることができる。
【００９０】
図７に、本実施の形態における機器パラメータ情報群生成処理のフローチャートを示す。図７に示す機器パラメータ情報群生成処理は、制御手段１０が備えるＣＰＵと、ＲＯＭ、ＲＡＭに記憶されたプログラム及び各種データ、機器パラメータ情報群生成手段１１、パラメータ情報一覧表示手段１４と、記憶手段２０に記憶された機器台帳テーブル２１及び機器パラメータ情報群２２との協働によるソフトウェア処理により実現される。
【００９１】
まず、パラメータ情報をアップロードするフィールド機器の選択指示が受け付けられる（ステップＳ１１）。アップロードするフィールド機器の選択指示の方策としては、例えば、ユーザがプラント構成画面Ｇ１のプラント構成機器表示エリアＧ１１に表示されるフィールド機器の状態を示すアイコンを選択してショートカットメニューを表示させ、ショートカットメニューの中からアップロードを実行させる項目を選択することにより実現させることができる。
【００９２】
選択されたフィールド機器から、フィールド機器が付帯する全てのパラメータ情報が読み出され、ＲＡＭ内に一時的に記憶されると共に、選択されたフィールド機器において、予め設定されている機器パラメータ情報群が読み出され（ステップＳ１２）、各フィールド機器に対する機器パラメータ情報一覧画面Ｇ２が表示される（ステップＳ１３）。
【００９３】
ユーザによって機器パラメータ情報一覧画面Ｇ２のアップロードボタンＢ１２が押下されると、読み出された全パラメータ情報を１つの群情報とすると共に、機器台帳テーブル２１を参照してフィールド機器の機器識別情報を読出し、読み出された機器識別情報を群情報に付して新たな機器パラメータ情報群を生成し、生成された機器パラメータ情報群を記憶手段２０に記憶させる（ステップＳ１４）。
【００９４】
選択された全てのフィールド機器のアップロード処理が終了されたか否かが判別され（ステップＳ１５）、選択された全てのフィールド機器のアップロード処理が終了されていないと判別された場合（ステップＳ１５；Ｎｏ）、ステップＳ１２に戻る。
【００９５】
選択された全てのフィールド機器のアップロード処理が終了されたと判別された場合（ステップＳ１５；Ｙｅｓ）、本処理は終了される。
【００９６】
このように、選択されたフィールド機器に対して、機器パラメータ情報群が生成されるため、ユーザに対する利便性を向上させることができる。
【００９７】
図８に、プラント内に設けられたフィールド機器を交換する際に実行される処理のフローチャートを示す。
図８に示すフィールド機器交換時に実行される処理は、制御手段１０が備えるＣＰＵと、ＲＯＭ、ＲＡＭに記憶されたプログラム及び各種データ、機器パラメータ情報群生成手段１１、比較手段１２、報知制御手段１３、パラメータ情報一覧表示手段１４、パラメータ情報書替手段１５と、記憶手段２０に記憶された機器台帳テーブル２１及び機器パラメータ情報群２２との協働によるソフトウェア処理により実現される。
【００９８】
プラントに設けられたフィールド機器において、故障等により交換の必要性が発生した場合（ステップＳ２１）、交換の必要性が発生したフィールド機器は、フィールド機器管理装置１との相互通信が可能であるか否かが判別される（ステップＳ２２）。
【００９９】
交換の必要性が発生したフィールド機器は、フィールド機器管理装置１との相互通信が可能であると判別された場合（ステップＳ２２；Ｙｅｓ）、交換の必要があるフィールド機器が現在付帯するパラメータ情報をアップロードして機器パラメータ情報群を生成する機器パラメータ情報群生成処理が実行される（ステップＳ２３）。ステップＳ２３において実行される機器パラメータ情報群生成処理は、図７において説明した機器パラメータ情報群生成処理を適用することができるため、説明は省略する。
【０１００】
交換の必要性が発生したフィールド機器はフィールド機器管理装置１との相互通信が不可能であると判別された場合（ステップＳ２２；Ｎｏ）又はステップＳ２３後、ユーザは、交換の必要性が発生したフィールド機器を当該フィールド機器に最も類似するフィールド機器に交換する。
【０１０１】
交換されたフィールド機器のパラメータ情報と、記憶手段２０に記憶されている予め設定された機器パラメータ情報群（交換前のフィールド機器が通信可能なフィールド機器である場合には、ステップＳ２３において生成された機器パラメータ情報群）内の対応するパラメータ情報との比較処理が実行され（ステップＳ２５）、機器パラメータ情報一覧画面Ｇ２が表示される（ステップＳ２６）。ステップＳ２５において実行される比較処理は、図６において説明した比較処理を適用することができるため、説明は省略する。
【０１０２】
ユーザは、表示手段３０の表示画面上に表示された機器パラメータ情報一覧画面Ｇ２のパラメータ情報に対して、ダウンロード対象か否かの変更指示、ダウンロードの順番の変更指示、パラメータ値の変更指示を行う（ステップＳ２７）。
【０１０３】
例えば、ダウンロード対象か否かの変更指示としては、ダウンロードの対象となるパラメータ情報の機器パラメータ名称を選択してショートカットメニューを表示させ、ダウンロード対象とするか否かを指示する項目を選択することにより実現させることができる。
【０１０４】
また、ダウンロードの順番の変更指示としては、ダウンロードの順番を変更させるパラメータ情報の機器パラメータ名称を選択してドラッグ・アンド・ドロップ操作をおこなって機器パラメータ名称を移動させることにより、機器パラメータ名称に対応する実機器パラメータ値及び機器パラメータ情報群のパラメータ値が追従して移動されることにより実現させることができる。
【０１０５】
パラメータ値の変更指示としては、表示画面上に表示されている機器パラメータ情報群のパラメータ値を入力手段４０を用いて直接書き替える機能（パラメータ情報変更指示手段）を用いることにより実現させることができる。即ち、記憶手段２０に記憶されている機器パラメータ情報群のパラメータ値をユーザが任意に変更することができるため、利便性及び操作性を向上させることができる。
【０１０６】
このように、ステップＳ２７において、ユーザが任意にパラメータ情報をダウンロード対象か否かに変更できるため、操作性が向上されるとともに、ダウンロード対象のパラメータ情報のみ機器パラメータ情報群内の対応するパラメータ情報に書き替えられるため、機器固有のキャリブレーション用パラメータ等の書き替えてはいけないパラメータ情報や書替不可のパラメータ情報を書き替えることが無くなり、書替ミスによるフィールド機器の誤設定や誤動作を防止することができる。また、ユーザが任意にダウンロードの順序を変更できるため、操作性が向上されると共に、ダウンロードの順序の変更指示に従ってフィールド機器のパラメータ情報が記憶手段２０に記憶されている機器パラメータ情報群内の対応するパラメータ情報に書き替えられるため、書き替える度に書替順序を設定する必要が無くなり、書替順序の設定忘れや設定ミスによる機器の誤設定や誤動作を防止することができ、作業性を向上させることができる。
【０１０７】
各種変更指示に伴う処理が実行されダウンロードボタンＢ１１が押下されると、フィールド機器の動作状態をパラメータ情報が書替可能な状態に変更させるダウンロード前処理が実行される（ステップＳ２８）。
【０１０８】
ダウンロード前処理が実行された後（ステップＳ２８後）、交換したフィールド機器が現在付帯するパラメータ情報を、記憶手段２０に記憶されている予め設定された機器パラメータ情報群（交換前のフィールド機器が通信可能なフィールド機器である場合には、ステップＳ２３において生成された機器パラメータ情報群）内の対応するパラメータ情報に書き替える書替処理（ダウンロード処理）が実行される（ステップＳ２９）。
【０１０９】
ダウンロード処理が実行された後（ステップＳ２９後）、フィールド機器の動作状態をパラメータ情報が書替不可能な状態に変更させるダウンロード後処理が実行され（ステップＳ３０）、終了される。
【０１１０】
このように、パラメータ情報を書き替える前にフィールド機器の動作状態をパラメータ情報が書替可能な状態に変更させ、パラメータ情報を書き替えた後にフィールド機器の動作状態をパラメータ情報が書替不可能な状態に変更させることにより、フィールド機器の動作の安全性を確保することができるため、フィールド機器の誤動作を防止することができ、ユーザに対する操作性を向上させることができる。
【０１１１】
ところで、フィールド機器が測定する対象が変更された場合、測定対象の特性に応じて測定方法を変更しなくてはならい。これに伴って、フィールド機器の設定を変更しなくてはならないため、パラメータ情報を入れ替える必要性が生じる。
そこで、図９に、プラント内に設けられたフィールド機器のパラメータ情報を入れ替える際に実行される処理のフローチャートを示す。
【０１１２】
図９に示すフィールド機器のパラメータ情報入れ替え時に実行される処理は、制御手段１０が備えるＣＰＵと、ＲＯＭ、ＲＡＭに記憶されたプログラム及び各種データ、機器パラメータ情報群生成手段１１、比較手段１２、報知制御手段１３、パラメータ情報一覧表示手段１４、パラメータ情報書替手段１５と、記憶手段２０に記憶された機器台帳テーブル２１及び機器パラメータ情報群２２との協働によるソフトウェア処理により実現される。
【０１１３】
まず、パラメータ情報を入れ替えるフィールド機器の機器パラメータ情報一覧画面Ｇ２が表示され（ステップＳ３１）、機器パラメータ情報群選択エリアＧ２１のドロップダウンリストボックスにより入れ替える機器パラメータ情報群が選択される（ステップＳ３２）。
【０１１４】
パラメータ情報を入れ替えるフィールド機器が現在付帯するパラメータ情報と、ステップＳ３２によって選択された記憶手段２０に記憶されている機器パラメータ情報群内の対応するパラメータ情報との比較処理が実行される（ステップＳ３３）。ステップＳ３３において実行される比較処理は、図６において説明した比較処理を適用することができるため、説明は省略する。
【０１１５】
比較処理が実行された後（ステップＳ３３後）、再度、機器パラメータ情報一覧画面Ｇ２が表示され、ユーザは、表示手段３０の表示画面上に表示された機器パラメータ情報一覧画面Ｇ２の各パラメータ情報に対して、ダウンロード対象の可否の変更指示や、ダウンロードの順番の変更指示、パラメータ値の変更指示を行う（ステップＳ３４）。
【０１１６】
各種変更指示に伴なう処理が実行されダウンロードボタンＢ１１が押下されると、ダウンロード前処理（ステップＳ３５）、ダウンロード処理（ステップＳ３６）、ダウンロード後処理が実行され（ステップＳ３７）、終了される。
【０１１７】
なお、ステップＳ３４〜ステップＳ３７は、ステップＳ２７〜ステップＳ３０と略同様であるため、説明は省略する。
【０１１８】
以上のように本実施の形態によれば、フィールド機器が付帯するパラメータ情報を全て読出し、読み出された全パラメータ情報がフィールド機器と関連付けられて記憶されることにより、フィールド機器毎にフィールド機器が付帯するパラメータ情報を漏れなく管理することができ、フィールド機器が現在付帯するパラメータ情報が記憶手段２０に記憶されている対応するパラメータ情報と差異が有る場合にはその旨が報知されるため、フィールド機器のパラメータ情報が変更された旨をユーザに報知することができる。即ち、フィールド機器が付帯する各種パラメータ情報の管理の高効率化を図り、ユーザに対する利便性及び操作性の向上を図ることができる。
更に、フィールド機器が現在付帯するパラメータ情報を記憶手段２０に記憶されている機器パラメータ情報群内の対応するパラメータ情報に書き替えることができるため、操作ミスによるパラメータ情報の書替漏れを防止することができ、ユーザに対する利便性及び操作性を向上させることができる。
【図面の簡単な説明】
【０１１９】
【図１】本実施の形態におけるフィールド機器管理システムＡの構成のブロック図である。
【図２】フィールド機器管理装置１の概略構成図である。
【図３】図３（ａ）は、機器台帳テーブル２１の一例であり、図３（ｂ）は、機器パラメータ情報群２２の一例である。
【図４】表示手段３０の表示画面上に表示されるプラント構成画面Ｇ１の一例である。
【図５】表示手段３０の表示画面上に表示される機器パラメータ情報一覧画面Ｇ２の一例である。
【図６】本実施の形態における比較処理のフローチャートである。
【図７】本実施の形態における機器パラメータ情報群生成処理のフローチャートである。
【図８】プラント内に設けられたフィールド機器を交換する際に実行される処理のフローチャートである。
【図９】プラント内に設けられたフィールド機器のパラメータ情報を入れ替える際に実行される処理のフローチャートである。
【符号の説明】
【０１２０】
１  フィールド機器管理装置
２  制御システム
３ａ、３ｂ、３ｃ  フィールド機器
１０  制御手段
１１  機器パラメータ情報群生成手段
１２  比較手段
１３  報知制御手段
１４  パラメータ情報一覧表示手段
１５  パラメータ情報書替手段
１６  インポート手段
１７  エクスポート手段
２０  記憶手段
２１  機器台帳テーブル
２２  機器パラメータ情報群
３０  表示手段
４０  入力手段
５０  通信手段
１０１  バス
１０２  フィールドバス
１０３  通信機器
１０４  伝送路
Ａ  フィールド機器管理システム
Ｂ１  インポートボタン
Ｂ２  エクスポートボタン
Ｇ１１  ダウンロードボタン
Ｇ１２  アップロードボタン
Ｇ１  プラント構成画面
Ｇ２  機器パラメータ情報一覧画面
Ｇ１１  プラント構成機器表示エリア
Ｇ１２  フィールド機器設定エリア
Ｇ２１  機器パラメータ情報群選択エリア
Ｇ２１ａ  ドロップダウンリストボックス
Ｇ２２  機器パラメータ情報一覧表示エリア
【図１】
0004710548.tif 000002
【図２】
0004710548.tif 000003
【図３】
0004710548.tif 000004
【図４】
0004710548.tif 000005
【図５】
0004710548.tif 000006
【図６】
0004710548.tif 000007
【図７】
0004710548.tif 000008
【図８】
0004710548.tif 000009
【図９】
0004710548.tif 000010